(57)【要約】【課題】  加熱用の長尺体の伸長に起因して直線用基材部分と湾曲用基材部分同士との接続箇所において異音の発生を抑制することが可能となる床暖房パネルを提供する。【解決手段】  加熱用の長尺体４が板状基材Ｔの上面側に形成された凹入溝５内に配設され、凹入溝５が平行又は略平行に並ぶ状態で直線状に形成された複数の直線溝部５ａ、及び、それら複数の直線溝部５ａの端部に連なるように接続されて湾曲状に形成された複数の湾曲溝部５ｂにて構成され、板状基材Ｔが、凹入溝５における複数の直線溝部５ａと複数の湾曲溝部５ｂとが接続される複数箇所の全てに対して、それらよりも直線溝部５ａに寄った箇所において、複数の直線溝部５ａが形成された直線用基材部分Ｔ１と、複数の湾曲溝部５ｂが形成された湾曲用基材部分Ｔ２とに分割される状態で構成される。【選択図】        図２
2005134039.tif 000002
【特許請求の範囲】
【請求項１】
加熱用の長尺体が、板状基材の上面側に形成された凹入溝内に配設され、
前記板状基材における前記凹入溝が、平行又は略平行に並ぶ状態で直線状に形成された複数の直線溝部、及び、それら複数の直線溝部の端部に連なるように接続されて湾曲状に形成された複数の湾曲溝部にて構成され、
前記板状基材が、前記複数の直線溝部が形成された直線用基材部分と、前記複数の湾曲溝部が形成された湾曲用基材部分とに分割される状態で構成されている床暖房パネルであって、
前記板状基材が、
前記凹入溝における複数の前記直線溝部と複数の前記湾曲溝部とが接続される複数の接続箇所の全てに対して、それらよりも前記直線溝部側に寄った箇所において、前記直線用基材部分と前記湾曲用基材部分とに分割される状態に構成されている床暖房パネル。
【請求項２】
前記板状基材の上面に均熱用シートが接着されている請求項１記載の床暖房パネル。
【発明の詳細な説明】
【技術分野】
【０００１】
本発明は、加熱用の長尺体が、板状基材の上面側に形成された凹入溝内に配設され、前記板状基材における前記凹入溝が、平行又は略平行に並ぶ状態で直線状に形成された複数の直線溝部、及び、それら複数の直線溝部の端部に連なるように接続されて湾曲状に形成された複数の湾曲溝部にて構成され、前記板状基材が、前記複数の直線溝部が形成された直線用基材部分と、前記複数の湾曲溝部が形成された湾曲用基材部分とに分割される状態で構成されている床暖房パネルに関する。
【背景技術】
【０００２】
上記構成の床暖房パネルにおいて、従来では、前記板状基材が、前記凹入溝における前記直線溝部と前記湾曲溝部とが接続される箇所と同じ又はほぼ同じ箇所において、前記複数の直線溝部が形成された直線用基材部分と前記複数の湾曲溝部が形成された湾曲用基材部分とに分割される構成となっていた。説明を加えると、前記湾曲用基材部分には、複数の直線溝部の端部に連なるように前記複数の湾曲溝部が湾曲しながら並ぶ状態で形成されることになるが、このような複数の湾曲溝部のうち湾曲経路が短い最内側の湾曲溝部と直線溝部とが接続される箇所と同じ又はほぼ同じ箇所において、前記板状基材が、前記直線用基材部分と前記湾曲用基材部分とに分割される構成となっていた（例えば、特許文献１参照。）。
【０００３】
【特許文献１】特開２００２−３４７８７９号公報
【発明の開示】
【発明が解決しようとする課題】
【０００４】
上記構成の床暖房パネルは、前記加熱用の長尺体として、熱媒体が循環通流する熱媒体流通管や電気ヒータ線などが用いられ、この加熱用の長尺体が加熱作動を実行することによって発生する熱により暖房を行うようにしたものである。
【０００５】
ところで、このような床暖房パネルにおいては、加熱用の長尺体を前記板状基材に配設させるときには、常温状態において板状基材の上面側に形成された凹入溝内に加熱用の長尺体を凹入させる状態で配設させることになり、前記加熱用の長尺体は加熱作動を行わないときには常温状態となっている。そして、暖房を行うときには加熱用の長尺体にて加熱作動を実行することになるが、このような加熱作動を実行するときには、加熱作動を実行しないときに比べて高温になるので、加熱用の長尺体は、そのような温度変化に起因して加熱作動を実行するときには加熱作動を実行しないときよりも長手方向に伸長することになる。
【０００６】
しかしながら、上述した如く、加熱用の長尺体は板状基材の上面側に形成された凹入溝内に配設されるものであるから、加熱作動を実行することによって、加熱用の長尺体が長手方向に沿って伸長するときには自由状態で伸長することができずに凹入溝の内面に接することによってそのような伸長動作が規制されることになる。そして、前記湾曲用基材部分に形成される複数の湾曲溝部のうち湾曲経路が長い外側の湾曲溝部は、加熱用の長尺体が直線経路部分から屈曲経路部分に移行し始める箇所よりも直線溝部側に寄った箇所にて前記直線溝部と接続される構成となっているが、前記湾曲用基材部分に形成される複数の湾曲溝部のうち最も湾曲経路が短い内側の湾曲溝部は、前記直線溝部との接続箇所の近傍において、加熱用の長尺体が直線経路部分から屈曲経路部分に移行し始める状態となっているが、このような内側の湾曲溝部に対応する前記直線溝部と前記湾曲溝部とが接続される箇所において、加熱用の長尺体が長手方向に伸長することに起因して異音が発生することがあった。
【０００７】
説明を加えると、加熱用の長尺体における前記直線経路部分は、前記凹入溝の溝形成方向に沿って伸長して、その全長が前記直線用基材部分に形成された直線溝部の全長よりも長くなろうとするが、前記屈曲経路部分においては、加熱用の長尺体が前記湾曲溝部の内面に接当することにより上述したような直線経路部分における長手方向に沿う伸長が規制されることになる。その結果、加熱用の長尺体が直線経路部分から屈曲経路部分に移行し始める部分においては、直線経路部分における加熱用の長尺体の伸びが屈曲経路部分において吸収できずに、加熱用の長尺体が凹入溝の溝幅方向に沿って横向きに張り出して凹入溝の内面に対して横向きの押圧力が加わることがあり、そのように直線用基材部分と湾曲用基材部分との接続箇所において、凹入溝の溝幅方向に沿って横向きの押圧力が発生することにより異音が発生すると考えられる。
【０００８】
すなわち、直線用基材部分と湾曲用基材部分との接続部分において、組付け誤差等に起因して直線用基材部分に形成された凹入溝と湾曲用基材部分に形成された凹入溝とが溝幅方向に沿って少し位置ずれした状態で接続されることがある。そうすると、直線用基材部分と湾曲用基材部分との間での接続部分にて、直線用基材部分に形成された凹入溝と湾曲用基材部分に形成された凹入溝との間で溝幅方向に沿う段差が生じることになる。つまり、直線用基材部分の接続用端縁部分と、湾曲用基材部分の接続用端縁部分のうちのいずれか一方のものが加熱用の長尺体の外周面に近い状態となり、他方のものが加熱用の長尺体の外周面から遠い状態となる。
【０００９】
そして、加熱用の長尺体が凹入溝の溝幅方向に沿って横向きに張り出して凹入溝の内面に対して横向きの押圧力が加わると、上述したような段差が形成される接続用端縁部分のうち加熱用の長尺体の外周面に近い接続用端縁部分における角部と、凹入溝の溝幅方向に沿って横向きに張り出した加熱用の長尺体とが擦れ合って異音が発生するおそれがある。特に、上記従来構成のように、板状基材として硬質の発泡材を用いるような場合には、上述したような加熱用の長尺体との間で擦れ合うことにより異音が発生し易いものであり、このような異音が発生すると、床暖房パネルの使用者に不快な感じを与えるおそれがあることから、この点で改善が望まれていた。
【００１０】
本発明の目的は、加熱用の長尺体が伸長することに起因して直線用基材部分と湾曲用基材部分との接続箇所において異音が発生することを抑制することが可能となる床暖房パネルを提供する点にある。
【課題を解決するための手段】
【００１１】
本発明の第１特徴構成は、加熱用の長尺体が、板状基材の上面側に形成された凹入溝内に配設され、前記板状基材における前記凹入溝が、平行又は略平行に並ぶ状態で直線状に形成された複数の直線溝部、及び、それら複数の直線溝部の端部に連なるように接続されて湾曲状に形成された複数の湾曲溝部にて構成され、前記板状基材が、前記複数の直線溝部が形成された直線用基材部分と、前記複数の湾曲溝部が形成された湾曲用基材部分とに分割される状態で構成されている床暖房パネルであって、前記板状基材が、前記凹入溝における複数の前記直線溝部と複数の前記湾曲溝部とが接続される複数の接続箇所の全てに対して、それらよりも前記直線溝部側に寄った箇所において、前記直線用基材部分と前記湾曲用基材部分とに分割される状態に構成されている点にある。
【００１２】
上記第１特徴構成によれば、板状基材が、前記凹入溝における複数の前記直線溝部と複数の前記湾曲溝部とが接続される複数の接続箇所の全てに対して、それらよりも前記直線溝部側に寄った箇所において、直線用基材部分と湾曲用基材部分とに分割される構成となっているから、前記複数の接続箇所のいずれのものに対してもその近傍に直線用基材部分と前記湾曲用基材部分との分割箇所が存在することがなく、加熱動作を実行することにより加熱用の長尺体が長手方向に沿って伸長して、加熱用の長尺体が直線経路部分から屈曲経路部分に移行し始める部分において加熱用の長尺体が凹入溝の溝幅方向に沿って横向きに張り出して凹入溝の内面に対して横向きの押圧力が加わることがあっても、板状基材の分割箇所がないので、加熱用の長尺体と板状基材とは面同士の接触状態となるから擦れ合って異音が発生するおそれは少ない。
【００１３】
又、直線用基材部分と湾曲用基材部分とに分割される箇所では、加熱用の長尺体がその長手方向に沿って伸長するものであるから、伸長に伴って発生する凹入溝の溝幅方向に沿う横向きの押圧力は小さいものであり、加熱用の長尺体が凹入溝の横幅方向に沿って大きく張り出すことはなく、直線用基材部分あるいは湾曲用基材部分の端縁部分と、加熱用の長尺体との間で擦れ合うことによる異音が発生するおそれは少ないものになる。
【００１４】
従って、加熱用の長尺体が伸長することに起因して直線用基材部分と湾曲用基材部分との接続箇所において異音が発生することを抑制することが可能となる床暖房パネルを提供できるに至った。
【００１５】
本発明の第２特徴構成は、上記第１特徴構成に加えて、前記板状基材の上面に均熱用シートが接着されている点にある。
【００１６】
上記第２特徴構成によれば、板状基材の上面に均熱用シートが接着されているので、前記直線用基材部分と前記湾曲用基材部分とが接続される箇所においても、それらの上面に均熱用シートが接着されているので、加熱用の長尺体の伸長に起因して凹入溝の横幅方向に押圧力が作用することがあっても、その接着力によって直線用基材部分や湾曲用基材部分に対して加熱用の長尺体が相対的に位置変位することを拘束することができ、異音の発生をより確実に抑制できるものとなる。
【発明を実施するための最良の形態】
【００１７】
以下、本発明の実施形態を図面に基づいて説明する。
この床暖房パネルＰは、上面側に管配設用の凹入溝５が形成された板状基材Ｔと、前記凹入溝５内に配設される加熱用長尺体としての熱媒体流通管４とが備えられ、板状基材Ｔのほぼ全体にわたって熱媒体流通管４が配設されている。つまり、板状基材Ｔのほぼ全体にわたって蛇行状に凹入溝５が形成されており、この凹入溝５内に熱媒体流通管４を凹入する状態で配設する構成となっている。
【００１８】
そして、この床暖房パネルＰは、前記板状基材Ｔにおける前記凹入溝５が、平行又は略平行に並ぶ状態で直線状に形成された複数の直線溝部５ａ、及び、それら複数の直線溝部５ａの端部に連なるように接続されて湾曲状に形成された複数の湾曲溝部５ｂにて構成され、前記板状基材Ｔが、前記複数の直線溝部５ａが形成された直線用基材部分Ｔ１と、複数の湾曲溝部５ｂが形成された湾曲用基材部分Ｔ２とに分割される状態で構成されている。
【００１９】
以下、床暖房パネルＰの具体構成について詳述する。
前記直線用基材部分Ｔ１には長さの異なる２種類があり、長さの短い短直線用基材部分１と長さの長い長直線用基材部分２とが、その長さ方向を同一方向として配置され、後述するように互いに連結されている。しかも、互いに連結された短直線用基材部分１と長直線用基材部分２とが、その直線用基材部分Ｔ１の幅方向にも互いに隣接するように配置され、且つ、幅方向に沿う短直線用基材部分１と長直線用基材部分２との配置関係が互いに逆になるように千鳥状に配置されて互いに連結されている。
【００２０】
又、湾曲用基材部分Ｔ２も形状が異なる２種類があり、直線用基材部分Ｔ１の幅に対してほぼ２倍の幅を備えて幅方向に隣接する２つの直線用基材部分Ｔ１間にわたって配置された幅広湾曲用基材部分３と、前記幅方向の両端に位置する直線用基材部分Ｔ１の長さ方向の一端部、つまり、床暖房パネルＰの４つの隅部のうちの２箇所の隅部には、直線用基材部分Ｔ１とほぼ同一の幅を備えた幅狭湾曲用基材部分３ａが配置されている。
【００２１】
そして、図２に示すように、前記板状基材Ｔは、断熱作用を有して軽量化が可能な硬質のポリスチレン発泡体８と、その上面に積層された合成樹脂製の樹脂シート成型体９から構成されており、前記短直線用基材部分１は、短用のポリスチレン発泡体８ａと短用の樹脂シート成型体９ａから構成され、前記長直線用基材部分２は、長用のポリスチレン発泡体８ｂと長用の樹脂シート成型体９ｂから構成され、同様に、幅広湾曲用基材部分３も、幅広用のポリスチレン発泡体８ｃと幅広用の樹脂シート成型体９ｃから構成され、幅狭湾曲用基材部分３ａも、幅狭用のポリスチレン発泡体８ｄと幅狭用の樹脂シート成型体９ｄから構成されている。
【００２２】
なお、短直線用基材部分１の短用樹脂シ−ト成型体９ａ、長直線用基材部分２の長用樹脂シ−ト成型体９ｂ、幅広湾曲用基材部分３の幅広樹脂シ−ト成型体９ｃ、幅狭湾曲用基材部分３ａの幅狭樹脂シート成型体９ｄとしては、塩化ビニル、スチレン、ポリエチレンなどの各種熱可塑性樹脂が用いられている。また、各樹脂シ−ト成型体９ａ，９ｂ，９ｃ，９ｄは、ポリスチレン発泡体８の上面に積層されるが、そのまま積層したり、樹脂シ−ト成型体９の内側へポリスチレン発泡体８の原料を注入発泡して積層構造としたり、接着剤などで接着するように構成してもよい。そして、樹脂シ−ト成型体９ａ，９ｂ，９ｃ，９ｄには、熱伝導率を向上させるために、銅メッキやアルミメッキ、その他の塗装などの表面処理を行ってもよい。
【００２３】
前記直線用基材部分Ｔ１には、短直線用基材部分１及び長直線用基材部分２の夫々に熱媒体流通管４埋入用の直線溝部５ａが設けられている。そして、図２、図３に示すように、直線溝部５ａ内に可撓性の熱媒体流通管４を埋入して、溝開口側の直線用基材部分Ｔ１の表面に可撓性の表面材である均熱用のアルミ箔６を配置して、アルミ箔６が前記各直線用基材部分１、２に接着剤などで接着されている。つまり、板状基材Ｔの上面に均熱用シートとしての均熱用のアルミ箔６が接着される構成となっている。
【００２４】
また、湾曲用基材部分Ｔ２にも、熱媒体流通管４埋入用の湾曲溝部５ｂが設けられている。そして、図２、図３に示すように、この湾曲溝部５ｂ内にも熱媒体流通管４を埋入して、湾曲溝部５ｂの開口側の湾曲用基材部分Ｔ２の表面に上述のアルミ箔６を配置して、アルミ箔６と湾曲用基材部分Ｔ２とが互いに接着剤などで接着されている。つまり、このアルミ箔６により直線用基材部分Ｔ１と湾曲用基材部分Ｔ２とが連結されるように構成されている。
【００２５】
このようにして、直線用基材部分Ｔ１や湾曲用基材部分Ｔ２は、可撓性のアルミ箔６を介して互いに連結されているだけであるが、直線用基材部分Ｔ１の幅方向に隣接する間において、短直線用基材部分１と長直線用基材部分２の配置関係が互いに逆になるように配置されているので、短直線用基材部分１と長直線用基材部分２との継ぎ目が幅方向に沿って一直線状にならずに千鳥状となる。また、幅広湾曲用基材部分３が、直線用基材部分Ｔ１の長さ方向の一端側と他端側の夫々において、前記幅方向で互いに異なる方向に隣接する短直線用基材部分１と長直線用基材部分２との間にわたって配置されているので、可撓性のアルミ箔６による連結であっても、床暖房パネルＰ全体としては、直線用基材部分の幅方向にも長手方向にも折れ曲がり難い構造となる。
【００２６】
そして、前記直線溝部５ａは、直線用基材部分Ｔ１において直線的に設けられ、図３の（イ）に示すように、直線用基材部分Ｔ１の幅方向に沿って熱媒体流通管４が所定ピッチをあけて配管されるように形成されている。また、湾曲用基材部分Ｔ２の湾曲溝部５ｂは、１つの湾曲用基材部分Ｔ２において複数の湾曲溝部５ｂが並ぶ状態で、直線用基材部分Ｔ１の幅方向に隣接する短直線用基材部分１と長直線用基材部分２にわたって湾曲するように設けられている。熱媒体流通管４を屈曲案内させる状態で配管されるように形成されている。図３の（ロ）には湾曲用基材部分Ｔ２における直線用基材部分Ｔ１の幅方向視での断面形状を示しており、熱媒体流通管４を比較的近接させた状態で配設する構成となっている。
【００２７】
前記熱媒体流通管４は、一般的に架橋ポリエチレン管やポリブテン樹脂管などが使用され、接続部のない第一熱媒体流通管４ａと第二熱媒体流通管４ｂとから構成されている。つまり、配管の信頼性を高めるために、図１に示すように、接続部のない第一熱媒体流通管４ａと第二熱媒体流通管４ｂとを夫々、直線用基材部分Ｔ１の直線溝部５ａと湾曲用基材部分Ｔ２の湾曲溝部５ｂにわたって埋入して配管するように構成されている。
【００２８】
前記各熱媒体流通管４ａ，４ｂの両端は、幅広湾曲用基材部分３のひとつに設けられている熱媒体供給部１０に接続され、図外の熱源機から温水などの熱媒体が熱媒体供給部１０の往き側を介して各熱媒体流通管４ａ，４ｂのそれぞれに供給される。そして、各熱媒体流通管４ａ，４ｂに供給された温水が、夫々の熱媒体流通管４ａ，４ｂを通流して熱媒体供給部１０の戻り側に供給されて排出するように構成されている。
つまり、直線用基材部分Ｔ１及び湾曲用基材部分Ｔ２にわたって配管されている前記各熱媒体流通管４ａ，４ｂに熱媒体供給部１０を介して図外の熱源機からの高温の温水を通流させることにより暖房対象の床が暖房されるように構成されている。
【００２９】
上述のように、直線用基材部分Ｔ１として、長さの異なる２種類の短直線用基材部分１と長直線用基材部分２が設けられ、湾曲用基材部分Ｔ２として、幅が異なる幅広湾曲用基材部分３と幅狭湾曲用基材部分３ａとが設けられ、それらを適宜組み合わせて配置することで、暖房対象の床の面積に応じて床暖房パネルＰの大きさを変更することができ、このようにして構成された床暖房パネルＰは、暖房対象の床の面積によっては、床暖房パネルＰが大きなものとなるので、運搬などを容易に行うために適当な箇所で折り畳み可能に構成されている。つまり、直線用基材部分Ｔ１の幅方向に短直線用基材部分１と長直線用基材部分２のそれぞれ３つをひとつの折り畳み単位として折り畳めるように、直線用基材部分Ｔ１の幅方向に隣接する直線用基材部分Ｔ１の連結箇所Ａ，Ｂ，Ｃでアルミ箔６が切断され、かつ、これらの連結箇所Ａ，Ｂ，Ｃを跨ぐ位置に配置されている幅広の湾曲用基材部分Ｔ２もアルミ箔６が切断されて取り外され、連結箇所Ａ，Ｂ，Ｃのそれぞれで折り畳み可能に構成されている。
【００３０】
そして、この床暖房パネルにおいては、図１、図２に示すように、前記凹入溝５における複数の直線溝部５ａと複数の湾曲溝部５ｂとが接続される複数の箇所の全てに対して、それらよりも前記直線溝部５ａ側に寄った箇所において、前記直線用基材部分Ｔ１と前記湾曲用基材部分Ｔ２とに分割される状態で構成されている。つまり、前記湾曲用基材部分Ｔ２に形成される複数の湾曲溝部５ｂのうち最も湾曲経路が短い内側の湾曲溝部５ｂと前記直線溝部５ａとが接続される箇所よりも所定距離Ｌ１だけ直線溝部５ａ側に寄った箇所において、前記直線用基材部分Ｔ１と前記湾曲用基材部分Ｔ２とに分割される状態となっている。
【００３１】
このように分割位置を直線溝部５ａ側に寄った箇所に設定することによって、熱媒体流通管４が温度変化により長手方向に伸長して直線経路部分から屈曲経路部分に移行し始める部分において局所的な押圧力が発生することがあっても、一体的に形成されている湾曲用基材部分Ｔ２における凹入溝５の内面にて押圧力が受け止められることになるので、その箇所で、直線用基材部分Ｔ１あるいは湾曲用基材部分Ｔ２の端縁部分と、熱媒体流通管４とが擦れ合うことによる異音が発生することはない。
【００３２】
そして、床暖房パネルＰを暖房対象の床に施工する際には、まず、床暖房パネルＰを暖房対象の床下地材の上に敷き込んで、床暖房パネルＰの位置決めなどの墨出しを行う。
その後、床下地材の上面に接着剤などを塗布して、直線用基材部分Ｔ１や湾曲用基材部分Ｔ２を構成するポリスチレン発泡体８の下面と床下地材の上面とを接着させた状態で、アルミ箔６の上から座金などを介在させて釘打ちして床暖房パネルＰを固定させる。そして、固定された床暖房パネルＰの上面にフローリングなどの床仕上げ材を接着剤などで接着して施工することになる。
【００３３】
〔別実施形態〕
以下、別実施形態を列記する。
【００３４】
（１）上記実施形態では、前記湾曲用基材部分Ｔ２に形成される複数の湾曲溝部５ｂのうち最も湾曲経路が短い内側の湾曲溝部５ｂと前記直線溝部５ａとが接続される箇所よりも所定距離Ｌ１だけ直線溝部５ａ側に寄った箇所において、前記直線用基材部分Ｔ１と前記湾曲用基材部分Ｔ２とに分割される構成としたが、前記直線用基材部分Ｔ１と前記湾曲用基材部分Ｔ２とを分割する箇所としては、上述したように所定距離Ｌ１寄った位置に限らず、前記凹入溝５における複数の前記直線溝部５ａと複数の前記湾曲溝部５ｂとが接続される複数の接続箇所の全てに対して、それらよりも前記直線溝部５ａ側に寄った箇所であればよく、上記構成に限定されるものではない。
【００３５】
（２）上記実施形態では、前記板状基材Ｔが、断熱作用を有して軽量化が可能な硬質のポリスチレン発泡体８と、その上面に積層された合成樹脂製の樹脂シート成型体９から構成されるものを例示したが、このような構成に限らず、次のように構成するものでもよい。
【００３６】
硬質のポリスチレン発泡体８に代えて、硬質のポリエチレン発泡体やポリプロピレン発泡体などのオレフィン系の発泡体等、各種の発泡体で構成してもよく、又、このような発泡体と合成樹脂製の樹脂シート成型体とを夫々備える構成でなく、上述したような発泡体だけで前記板状基材Ｔを構成するようにしてもよい。
【００３７】
（３）上記実施形態では、直線用基材部分として、長さの異なる短直線用基材部分１と長さの長い長直線用基材部分とを用いて床暖房パネルＰを構成する例を示したが、直線用基材部分として、長さの異なる３種類以上の直線用基材部分を用いる構成としてもよく、又、全て同じ長さの直線用基材部分を用いて実施することもできる。
【００３８】
（４）上記実施形態では、湾曲用基材部分Ｔ２の一例として、幅広湾曲用基材部分３と幅狭湾曲用基材部分３ａとを用いる構成としているが、このような構成に限らず、全て同じ幅の湾曲用基材部分を用いてもよい。
【００３９】
（５）上記実施形態では、均熱用のシート材が均熱用のアルミ箔で構成されているが、均熱用のシート材は、アルミ箔に限らず、アルミ以外の熱伝導率がよく且つ所定の強度を有する材質にて構成するものでもよい。
【００４０】
（６）上記実施形態では、加熱用長尺体として熱媒体流通管４を用いて、その熱媒体流通管４に熱媒体としての温水を通流させることにより、暖房対象である床を暖房する熱媒体通流式の床暖房パネルに適応した例を示したが、加熱用長尺体として電気ヒータ線を用いた電気式の床暖房パネルに適応することも可能である。
【００４１】
（７）上記実施形態では、床暖房パネルの上面にフローリングなどの床仕上げ材を接着剤などで接着して施工する構成としたが、このような構成に代えて床仕上げ材を釘打ちによって固定して施工する構成としてもよい。つまり、前記板状基材として、床仕上げ材の設置のために釘打ち可能な部材、例えば小根太等を備える形態に構成するものでもよい。
【図面の簡単な説明】
【００４２】
【図１】床暖房パネルの平面図
【図２】床暖房パネルの分解斜視図
【図３】床暖房パネルの一部断面図
【符号の説明】
【００４３】
４          加熱用の長尺体
５          凹入溝
５ａ        直線溝部
５ｂ        湾曲溝部
６          均熱用シート
Ｔ          板状基材
Ｔ１        直線用基材部分
Ｔ２        湾曲用基材部分
【図１】
2005134039.tif 000003
【図２】
2005134039.tif 000004
【図３】
2005134039.tif 000005